(57)【要約】【課題】複写機、ＦＡＸ等の画像形成装置において、読み取り後の異なったサイズの原稿を円滑に積載する。【解決手段】異なったサイズの原稿Ｇ２を積載可能に受け取る排紙トレイ部２００は、互いに同一方向に傾斜する上面を有する用紙積載部２２０と、ガイド部２１０とを備えている。ガイド部２１０は用紙積載部２２０の積載面２２１の上流側の上方に所定距離Ｈだけ離間して設けられ、画像形成装置本体から排出される原稿Ｇ２を積載面２２１に受け渡すガイド面２１１には、少なくとも下端が原稿Ｇ１の幅寸法以下となる一対のリブ２１３が傾斜方向に亘って立設されている。【選択図】        図２
2004331369.tif 000002
【特許請求の範囲】
【請求項１】
画像形成装置本体の排紙口に対応して配設されるものであって、前記排紙口から所要の速度で排出される、第一の幅寸法、及び、この第一の幅寸法より大きな第二の幅寸法を有する各用紙を積載可能に受け取る排紙トレイにおいて、
互いに同一方向に傾斜する上面を有する用紙積載部と、ガイド部とを備え、
前記用紙積載部は前記上面を積載面とし、
前記ガイド部は前記用紙積載部の前記積載面の用紙搬送方向上流側の垂直方向上側に所定距離だけ離間して設けられ、前記排紙口から排出される用紙を前記積載面に受け渡すべく上面をガイド面とすると共に、
前記ガイド面には、少なくとも用紙搬送方向下流側端が前記第一の幅寸法以下となる一対の第一のリブがそれぞれ傾斜方向に亘って立設されていることを特徴とする排紙トレイ。
【請求項２】
上記第一のリブの対は、幅方向対称に立設されていることを特徴とする請求項１記載の排紙トレイ。
【請求項３】
前記一対のリブは、下流側に向かうほど互いの離間距離が大きくなることを特徴とする請求項１又は２記載の排紙トレイ。
【請求項４】
前記第一のリブは、下流側ほど高さ寸法が大きいことを特徴とする請求項１〜３のいずれかに記載の排紙トレイ。
【請求項５】
前記一対の第一のリブの外方には、下流側にむかうほど互いの離間距離が大きく、かつ少なくとも下端が第一の幅寸法と第二の幅寸法の間の寸法だけ離間した一対の第二のリブが立設されていることを特徴とする請求項１〜４のいずれかに記載の排紙トレイ。
【請求項６】
前記第二のリブは、前記第一のリブよりも高さ寸法が大きいことを特徴とする請求項５記載の排紙トレイ。
【請求項７】
前記第二のリブは、下流側ほど高さ寸法が大きいことを特徴とする請求項５又は６記載の排紙トレイ。
【請求項８】
前記用紙積載部は、前記積載面に、少なくとも下端が前記第一の幅寸法以下となる一対の積載用リブがそれぞれ傾斜方向に亘って立設されていることを特徴とする請求項１〜７のいずれかに記載の排紙トレイ。
【請求項９】
前記積載用リブは上流側ほど高さ寸法が大きいことを特徴とする請求項８記載のいずれかに記載の排紙トレイ。
【請求項１０】
前記ガイド部の第一のリブ及び／又は第二のリブの稜線は、水平面と１５°〜３０°の傾斜をなす状態で形成されていることを特徴とする請求項１〜９のいずれかに記載の排紙トレイ。
【請求項１１】
本体内で画像形成処理が施された記録紙であって排紙口から排出される記録紙を積載可能に載置する請求項１〜１０のいずれかに記載の排紙トレイを備えたことを特徴とする画像形成装置。
【発明の詳細な説明】
【０００１】
【発明の属する技術分野】
本発明は、複写機、プリンタ、ＦＡＸ等の画像形成装置に備えられる排紙トレイに関するものである。
【０００２】
【従来の技術】
従来、画像形成装置の本体から排紙される用紙を積載する排紙トレイとして、例えば、図６に示したものが存在する。この排紙トレイは、画像形成装置本体２８の側面に配置され、排紙方向先端に向かって低くなるように傾斜した排紙積載トレイ２５を備えている。そして、この装置本体２８の排紙口４４から排紙された用紙Ｓ３が、排紙積載トレイ２５に積置される。
【０００３】
この排紙トレイの場合、排紙積載トレイ２５上に先に積載されている小サイズの用紙Ｓ１の後端に、後から排紙される用紙Ｓ３の先端が突き当たって想像線に図示したように折れ曲がってしまうことがあり、用紙Ｓ１上に後から排紙された用紙Ｓ３を正しく積載できない問題があった。
【０００４】
かかる問題を解決した排紙トレイとしては、例えば特許文献１に記載のものが提案されている。この排紙トレイは、図７（特許文献１の図１に対応）に示すように、排紙積載トレイ２５と、スライドプレート３５とを備えている。排紙積載トレイ２５及びスライドプレート３５は、いずれも排紙方向先端に向けて下方に傾斜している。排紙積載トレイ２５は、排紙方向のサイズが異なる複数種類の用紙Ｓ１、Ｓ２、Ｓ３を積載する。プレート３５は、排紙積載トレイ２５の上方に備えられ、排紙方向に対して直交する方向にスライド可能な左右の分割プレート３５Ａ、３５Ｂを備えている。分割プレート３５Ａ、３５Ｂは、通常、用紙Ｓ１、Ｓ２、Ｓ３の幅サイズよりも狭い間隔Ｂ１に設定されており、両者の間に介在する間隔拡げカム３６を回転させることにより、用紙Ｓ１、Ｓ２、Ｓ３の幅サイズよりも広い間隔Ｂ２に変更することができる。そして、間隔Ｂ１の状態で、排紙口４４から排紙された用紙Ｓ１、Ｓ２、Ｓ３の先端を排紙積載トレイ２５の排紙方向の先端付近まで導き、続いて、間隔Ｂ２に変更してこの用紙Ｓ１、Ｓ２、Ｓ３を排紙積載トレイ２５上に落下させるようにしている。
【０００５】
【特許文献１】
特開平８−２５９０７３号公報
【０００６】
【発明が解決しようとする課題】
しかしながら、前記排紙トレイの構造は、用紙Ｓ１、Ｓ２、Ｓ３を排紙積載トレイ２５の排紙方向の先端付近まで導く途中で、間隔広げカム３６を回転させ、分割プレート３５Ａ、３５Ｂ間の間隔を変更する必要がある。したがって、かかる回転動作を行わせるための部品を付設する必要があり、その分コストアップと大型化を招くこととなる。
【０００７】
本発明は、簡素な構造でありながら、異なるサイズの用紙を適正な位置に積載させ得る排紙トレイを提供することを目的とする。
【０００８】
【課題を解決するための手段】
本発明は、画像形成装置本体の排紙口に対応して配設されるものであって、前記排紙口から所要の速度で排出される第一の幅寸法、この第一の幅寸法より大きな第二の幅寸法を有する各用紙を積載可能に受け取る排紙トレイにおいて、互いに同一方向に傾斜する上面を有する用紙積載部と、ガイド部とを備え、前記用紙積載部は前記上面を積載面とし、前記ガイド部は前記用紙積載部の前記積載面の用紙搬送方向上流側の垂直方向上側に所定距離だけ離間して設けられ、前記排紙口から排出される用紙を前記積載面に受け渡すべく上面をガイド面とすると共に、前記ガイド面には、少なくとも用紙搬送方向下流側端が前記第一の幅寸法以下となる一対の第一のリブがそれぞれ傾斜方向に亘って立設されていることを特徴とする排紙トレイである。
【０００９】
この排紙トレイによれば、前記ガイド部が、用紙積載部の積載面の上流側の上方に所定距離だけ離間して設けられているので、前記ガイド部のガイド面上の用紙は、既に積載面上に積載されている用紙の上面に落下することが可能となる。
【００１０】
また、前記ガイド面には、少なくとも下端が前記第一の幅寸法以下となる一対の第一のリブがそれぞれ傾斜方向に亘って立設されているので、用紙は、ガイド面下端部分を移動するとき前記第一のリブの上を摺動落下する。この用紙には、上記リブ間の形状に合わせてたわみが形成されるため、この用紙が移動する際の直進性が増し、かつ、安定した揚力が得られるようになる。したがって、この用紙は、幅方向への位置ずれを起こさず前記用紙積載面に向けて飛翔する。このように、リブを設けるのみで適正な位置に前記用紙を積載することが可能となる。したがって、簡素な構造でありながら、適正な位置に用紙を積載することが可能となる。
【００１１】
なお、請求項２の発明は、上記第一のリブの対が、幅方向対称に立設されているものである。この構造によれば、用紙に形成されるたわみの形状が左右対称になり、用紙が移動する際の直進性が増す。したがって、用紙をより適正な位置に積載することが可能となる。
【００１２】
請求項３の発明は、前記一対のリブが、下流側に向かうほど互いの離間距離が大きくなるものである。
【００１３】
この構成によれば、下流側に向かうほどリブ間の距離が大きくなるため、用紙が搬送されるにつれて、用紙に形成されるたわみ量は大きくなり、安定した揚力が受けられる状態で、前記用紙積載面に向けて飛翔できる。
【００１４】
また、上流側のリブ間の距離は小さいため、用紙後端側に形成されるたわみ量は小さくなり、用紙後端側に発生する搬送方向に対する用紙のコシ（弾性）を減少させることができ、用紙が折れ曲がり難くなることによる搬送不良が防止され、スムーズな状態で搬送させることができる。
【００１５】
なお、請求項４の発明のように、前記第一のリブの高さ寸法を下流側ほど大きくすると、リブ上にある前記用紙の表面に形成されるたわみが大きくなった際にも、このたわみの底部が前記ガイド面に接触することが回避される。したがって、用紙がガイド面上を摺動するとき、途中で用紙が搬送されなくなる等の不都合を回避することが可能となる。
【００１６】
請求項５の発明は、前記一対の第一のリブの外方に、下流側に向かうほど互いの離間距離が大きく、かつ少なくとも下端が第一の幅寸法と第二の幅寸法の間の寸法だけ離間した一対の第二のリブが立設されているものである。
【００１７】
この構成によれば、第二の幅寸法を有する用紙が、前記ガイド面下端部分を移動するとき、前記第一のリブの対よりも外側に形成された前記第二のリブの上を摺動する。したがって、幅方向の寸法が大きい用紙でも、幅方向端部がガイド面に直接接触して幅方向に位置ずれを起こすことが回避され、より安定した状態で前記用紙積載面上に用紙を搬送することが可能となる。
【００１８】
また、請求項６記載の発明は、前記第二のリブを前記第一のリブより高さ寸法を大きくしたものである。この構成によれば、第二の幅寸法を有する用紙は、第一のリブのみに接触する場合と比較して用紙表面のたわみが大きくなる。また、この用紙の幅方向端部がガイド面に接触することがより有効に回避される。したがって、第二の幅寸法を有する用紙のような広幅の用紙をガイド面上を摺動させる場合でも、安定した直進性を確保することが出来、より安定した状態で前記用紙積載面上に用紙が搬送される。
【００１９】
なお、請求項７記載の発明のように、前記第二のリブの高さ寸法を下流側ほど大きくすると、第二の幅寸法を有する用紙の表面に形成されるたわみが大きくなった際にも、このたわみの底部が前記ガイド面に接触することが回避される。したがって、第二の幅寸法を有する用紙がガイド面上を摺動するときの不都合を有効に回避することが可能となる。
【００２０】
前記ガイド部の第一リブの稜線及び／又は第二リブの傾斜角度は、小さ過ぎると、途中で用紙の搬送が止まって搬送されなくなる。また、傾斜角度が大きすぎると正常に飛翔されなくなる。これらの点を考慮して安定した用紙搬送を行うためには、請求項１０記載の発明のように、前記ガイド部の第一リブの稜線及び／又は第二リブの傾斜角度は、２０°〜３０°であることが好ましい。
【００２１】
請求項８の発明は、前記用紙積載部の前記積載面に、少なくとも下端が前記第一の幅寸法以下となる一対の積載用リブがそれぞれ傾斜方向に亘って立設されているものである。
【００２２】
この構成によれば、前記ガイド面から搬送された用紙が前記積載面の下端部で前記積載用リブ上に積置された用紙上に積置されるとき、前記ガイド面から搬送された用紙にも新たにたわみが形成された状態で積置される。したがって、積置された用紙が幅方向にずれることが回避され、安定した状態で前記積載面上に用紙を積置することが可能となる。
【００２３】
請求項９記載の発明は、前記積載用リブの高さの寸法を上流側ほど大きくしたものである。
【００２４】
この構成によれば、前記ガイド部から前記積載面上に搬送された用紙は、最初にリブ高の高い部分に接触することになり、リブ以外の部分に接触することが回避される。したがって、用紙が積置されるときの幅方向の位置ずれが抑制される。
【００２５】
なお、請求項１１の発明は、請求項１〜１０のいずれかに記載の排紙トレイを備えた画像形成装置において、本体内で画像形成処理が施された記録紙であって排紙口から排出される記録紙を積載可能に載置するものである。
【００２６】
【発明の実施の形態】
図１は、本発明の排紙トレイを備えた複写機（画像形成装置）の全体構成を示す。複写機１は、本体部１００と、排紙トレイ部２００とを備えている。本体部１００は、キャスター１０３と、原稿Ｇ２（用紙）を搬送する原稿搬送部１１０と、本体内部に装着されたロール状の記録紙Ｒ１、Ｒ２、及び、カット紙Ｋ１を搬送する搬送路１２０と、画像転写部１３０と、定着部１４０と、排出部１５０とを備えている。なお、原稿Ｇ２としては、Ａ１版の原稿Ｇ２１及びＡ２版の原稿Ｇ２２が使用される（図４参照）。
【００２７】
原稿搬送部１１０は、本体部１００の上部に配置され、原稿セット部１１１と、カバー部１１３と、複数の搬送ローラ１１５と、読取部１１７とを備えている。そして、原稿セット部１１１に配置された原稿Ｇ２は、搬送ローラ１１５により搬送方向Ｓへの方向に搬送され、読取部１１７及び排紙口１１９を経て排紙トレイ部２００まで搬送される。読取部１１７では原稿Ｇ２に形成された画像が読み込まれる。
【００２８】
記録紙は、Ａ２版の幅長（第一の幅寸法）のロール紙Ｒ１、Ａ１版の幅長（第二の幅寸法）のロール紙、及び、カット紙Ｋ１である。なお、記録紙には、通常の紙の他、ＯＨＰフィルム等に代表されるプラスチックフィルムも含まれる。
【００２９】
搬送路１２０には、その搬送方向の下流側から、ロール紙切断部１２３と、画像転写部１３０と、定着部１４０とが配置される。そして、かかる部材の間には、適所に複数の搬送ローラ１２１が備えられ、記録紙Ｒ１、Ｒ２、Ｋ１が排出部１５０まで搬送される。ロール紙切断部１２３は、固定刃１２３ａと、回転刃１２３ｂとを備えており、ロール紙Ｒ１、Ｒ２をＡ１及びＡ２版の大きさにカットする。画像転写部１３０は、感光ドラム１３１と、現像装置１３３と、帯電用コロナ放電器１３５と、転写用コロナ放電器１３７と、剥離用コロナ放電器１３９とを備えており、読取部１１７で読み込んだ画像データに基づいて、記録紙上にトナー像を形成する。定着部１４０は、定着ローラ１４１を具備し、記録紙上に形成されたトナー像を用紙に定着させる。排出部１５０は、トナー像が定着された記録紙Ｐ１を本体部１００の内部から外部へ排出し、ポケット１５５内にストックする。
【００３０】
以下、図２〜図４を用いて排紙トレイ部２００の構造を説明する。
【００３１】
まず、図２を用いて説明すると、排紙トレイ部２００は原稿搬送部１１０から搬送された原稿Ｇ２を積置するものであって、ガイド部筐体２０１と、ガイド部２１０と、用紙積載部２２０とを備えている。
【００３２】
ガイド部筐体２０１は、上板２０３と、側板２０５と、キャスター２０７と、支持板２０９とを備えている。側板２０５には、ガイド部２１０と用紙積載部２２０と、支持板２０９とが取り付けられており、両部材の上面２１１及び２２１は、搬送方向Ｓの下流側に向けてθ１、θ２の角度で各々低くなっている。なお、支持板２０９は、用紙積載部２２０の上方となる位置に備えられている。本実施形態では、θ１は２５°、θ２は１７．５°に設定されている。
【００３３】
ガイド部２１０は、板状の形状に形成されたものであって、ガイド面２１１はその上端が、図１に示すとおり、本体部１００の上面より若干下方の位置で、下端が用紙積載部２２０の上面２２１の上方に所定距離Ｈだけ離間した位置に配置されている。なお、ガイド面２１１の上端を、本体部１００の上面と略同一の高さにしてもよい。また、ガイド面２１１には、図３、図４に示すとおり、二対のリブ２１３（第一のリブ）、及び、リブ２１５（第二のリブ）が形成されている。
【００３４】
リブ２１３は、原稿Ｇ２が搬送される方向Ｓの下流側に向かってこのリブの離間距離が大きくなるハの字状に形成されている。リブ２１３の下端側（用紙搬送方向下流側端）での幅方向に対する離間距離は、Ａ２版の幅長より小さく設定されている。
【００３５】
なお、本実施形態での幅方向とは、原稿搬送方向Ｓと垂直の角度をなした方向であり、図３、図５に図示した通りである。
【００３６】
リブ２１５は、リブ２１３の外側に形成されたもので、下流側に向かってこのリブの離間距離が大きくなるハの字状で形成されている。リブ２１５の下端側の離間距離は、Ａ２版の幅より大きく、Ａ１版の幅より小さい寸法に設定されている。なお、リブ２１３、２１５のハの字の広がり度合いは、リブ２１３の方が大きくなるように設定されている。
【００３７】
リブ２１３、及び、リブ２１５の各リブの高さは、図２に示すとおり、搬送方向Ｓの下流側に向かうに従って高くなるように設定されている。ガイド面２１１とリブ２１３、２１５の各稜線とは、搬送方向Ｓの下流側に向けてθ１１の角度、本実施形態においては略５°に設定されている。また、リブ２１３、２１５の各稜線と水平面とがなす角度θ１２は、略２０°に設定されている。なお、図４に示すように、リブ２１５のリブの高さは、リブ２１３のリブの高さより全長に亘って高い。
【００３８】
図２に戻って説明を続けると、用紙積載部２２０は、板状の形状に形成されたものであって、その上面２２１（積載面に相当。以下積載面と称す。）には、一対の積載用リブ２２３と、係止用リブ２２５とが形成されている。
【００３９】
積載用リブ２２３は、図３に示すとおり、この積載面２２１上にハの字状に形成され、リブ２２３同士の離間距離が原稿搬送方向Ｓの下流側へ向けて大きくなる状態で形成されている。このリブ２２３の離間距離は、その下端面においてＡ２版の幅長より小さく形成されている。また、このリブ２２３のリブ高は、図２に示すとおり、搬送方向Ｓの下流側に向けて低くなっている。
【００４０】
係止用リブ２２５は、幅方向に延びる状態で、積載面２２１の略下端に位置する箇所に形成されており、原稿Ｇ２の摺動を阻止し、既に積置されている原稿Ｇ１上に積置する。用紙積載部２２０の下端にはカバー部２２７が備えられ、下端部近傍の両側面には側面板２２９が備えられている。カバー部２２７は、下端面支持板２２７ａと、上面被覆板２２７ｂと、ヒンジ部２２７ｃとを備えている。下端面支持板２２７ａは、用紙積載部２２０の下端側面に直接取り付けられている。上面被覆板２２７ｂは、ヒンジ部２２７ｃを介して下端面支持板２２７ａに取り付けられ、ヒンジ部２２７ｃを中心に回転可能となっている。上面被覆板２２７ｂと側面板２２９とは、磁石（図示せず）を介して接着されている。なお、上面被覆板２２７ｂと側面板２２９とは着離可能である。
【００４１】
また、上板２０３の搬送方向Ｓ上流側の端部、及び、支持板２０９には、衝撃緩衝板２３１、２３３が各々設けられている。衝撃緩衝板２３１、２３３は、主にＰＥＴ等のプラスチックやゴム等の素材で構成されており、原稿Ｇ２がガイド部２１０及び用紙積載部２２０に当接する時の衝撃を和らげる。
【００４２】
以下、原稿搬送部１１０から搬送された原稿Ｇ２が、排紙トレイ部２００内で搬送される状況につき説明する。なお、原稿Ｇ２は、Ａ２版の原稿Ｇ２１であると仮定して説明する。
【００４３】
最初に原稿Ｇ２は、本体部１００の端部ＫＹで幅方向に折れ曲がる。次に、原稿Ｇ２の先端は、衝撃緩衝板２３１に当接した後、リブ２１３の稜線に当接し、その稜線上を摺動する（図４の原稿Ｇ２１を参照）。原稿Ｇ２がリブ２１３の稜線上を摺動するとき、原稿Ｇ２表面には第１リブが延びる方向にたわみが形成され、そのたわみは、下流側に摺動するに伴って大きくなる。そして、原稿Ｇ２の先端は、支持板２０９に設置された衝撃板２３３に当接した後、既に積載されている原稿Ｇ１の上面に当接する。なお、原稿Ｇ１には積載用リブ２２３同士の間隔に合わせてたわみが形成されており、それに伴い、原稿Ｇ２が原稿Ｇ１上を摺動する時、原稿Ｇ２上にもたわみが形成される。さらに、原稿Ｇ２は、係止用リブ２２５に当接し、原稿Ｇ１上に積置される。
【００４４】
原稿Ｇ２が、Ａ１版の原稿Ｇ２２の場合に搬送される状況について説明すると、まず原稿Ｇ２の先端は、衝撃緩衝板２３１に当接した後、リブ２１５の稜線に当接し、その稜線上を摺動する（図４の原稿Ｇ２２を参照）。なお、リブ２１５上を摺動するとき、リブ２１３に接触する場合と接触しない場合とが想定されるが、いずれの状態であるかは特に限定する必要はない。また、その後の搬送状況は、原稿Ｇ２がＡ２版である場合、すなわち原稿Ｇ２１の場合と同じである。
【００４５】
積置された原稿Ｇ１を取り出すときは、上面被覆板２２７ｂと側面板２２９との接着状態を解除し、上面被覆板２２７ｂをヒンジ部２２７ｃを中心に先端側の方向（図２の矢印方向）に向けて回転させた後、積置された原稿Ｇ１を用紙積載部２２０上から取り出す。
【００４６】
本実施形態の排紙トレイ部２００は、ガイド部２１０は、用紙積載部２２０の上面２２１（積載面）の上流側の上方に所定距離Ｈ分離間して設けられているので、ガイド面２１１上の原稿Ｇ２は、既に積載面２２１に積載されている原稿Ｇ１の上面に落下させることが可能となる。したがって、既に積載面２２１上に積載されている用紙の後端に突き当たることなく、ガイド面２１１上の原稿Ｇ２を、既に積載面２２１上に積載されている原稿Ｇ１の上面に積置することが可能となる。この構成は、最上面に積置されている原稿Ｇ１のサイズが、他の原稿Ｇ１のサイズより小さい場合は特に有効である。
【００４７】
また、リブ２１３の対は、その下端ではＡ２版の幅長より小さいため、本体部１００から排紙されたＡ２版の原稿Ｇ２１は、リブ２１３の稜線に接触する状態で前記ガイド面上に摺動された状態で積載面２２１上を落下し、この原稿２１は、リブの形状に合わせてたわむため、この原稿２１が移動するときの直進性が増し、かつ安定した揚力が得られるようになる。したがって、原稿Ｇ２１は、幅方向への位置ずれを起こさず積載面２２１に向けて飛翔される。
【００４８】
よって、従来技術のように特別な部品や機構を具備する必要がなく、リブ２１３の対を設けるのみで原稿Ｇ２１を用紙積載面上の適正な位置に積載することが可能となる。
【００４９】
また、リブ２１３間の距離は、下流側に向かうほど大きくなっている。したがて、リブ２１３上にある原稿Ｇ２１に形成されるたわみは、下流側に搬送されるにつれて大きくなり、安定した揚力を受けられる状態で原稿Ｇ２１を積載面２２１に飛翔できる。
【００５０】
また、この形状にすると、上流側に関してはリブ２１３間の距離が小さいため、リブ２１３上にある原稿Ｇ２１に形成されるたわみは後端側に向かうにつれて小さくなる。なお、原稿Ｇ２は大きくたわむと、原稿Ｇ２に発生する搬送方向に対するコシ（原稿Ｇ２の弾性）が強くなり、原稿Ｇ２が本体部１００の端部ＫＹで円滑に折れ曲がれなくなり、原稿Ｇ２の後端側に上向きに作用する力が発生する。この状態で、原稿Ｇ２の後端が搬送ローラ１１５より先端側に搬送されたとき、原稿Ｇ２の後端が排紙口１１９の上側の縁に引っかかり、原稿Ｇ２の後端に発生した上向きに作用する力と、原稿Ｇ２の自重により発生する下向きに作用する力とが相殺される。すなわち、原稿Ｇ２に発生する下向きに作用する力が弱くなり、円滑に原稿Ｇ２１が搬送方向Ｓに向けて搬送されなくなる可能性がある。さらに、原稿Ｇ２１が上記端部ＫＹで円滑に折れ曲がれなくなることにより、原稿Ｇ２１に折れ痕がつく可能性も想定される。
【００５１】
したがって、上記のようにリブ２１３間の距離を上流側に向けて小さくすることにより、原稿Ｇ２に発生するたわみを後端側に向けて小さくすることにより、上記のような問題を回避し、原稿Ｇ２をスムーズな状態で搬送させることが出来る。
【００５２】
さらに、リブ２１３の高さ寸法を下流側ほど大きくしているので、リブ２１３上にある原稿Ｇ２１のたわみ量が大きくなった際にも、このたわみの底部がガイド面２１１に接触することが回避される。したがって、原稿Ｇ２１がガイド面２１１上を摺動するとき、途中で原稿Ｇ２１が搬送されなくなる等の不都合を回避することが可能となる。
【００５３】
また、リブ２１３の対の外方に、リブ２１５の対が形成され、リブ２１５間の距離は、下流側に向かうほど大きく、かつ、下端の離間距離はＡ１版の幅長より小さい。したがって、Ａ１版の原稿Ｇ２２は、リブ２１５に接触された状態でガイド面２１１上を摺動する。よって、Ａ１版の原稿Ｇ２２のように、幅方向の寸法が大きい原稿Ｇ２２においても、幅方向端部がガイド面２１１に直接接触して幅方向に位置ずれを起こすことが回避され、途中で原稿Ｇ２２が搬送されなくなる等の不都合を回避することが可能となる。
【００５４】
また、リブ２１５のリブ高は、リブ２１３のリブ高より高いため、Ａ１版の原稿を搬送するとき、リブ２１３のみに接触する場合と比較して原稿Ｇ２２のたわみが大きくなる。したがって、Ａ１版の原稿Ｇ２２のような広幅の用紙をガイド面２１１上を摺動させる場合でも、安定した直進性を確保することが出来る。
【００５５】
また、第二のリブ２１５のリブ高は、下流側ほど高いため、リブ２１３の場合と同様、Ａ１版の原稿Ｇ２２の表面に形成されるたわみが深くなった場合においても、このたわみの底部がガイド面２１１に接触することが回避される。したがって、原稿Ｇ２２がガイド面２１１上を摺動するときの不都合（搬送不良等）を、有効に回避することが可能となる。
【００５６】
リブ２１３、及びリブ２１５の対は、ガイド面２１１上に幅方向対称になるように設けられているため、原稿Ｇ２１、Ｇ２２に形成されるたわみの形状は略左右対称になり、より安定した直進性を得た状態で原稿Ｇ２が搬送される。したがって、原稿Ｇ２をより適正な位置に積載することが可能となる。
【００５７】
なお、リブ２１３、２１５の稜線の傾斜角度は、小さ過ぎると、途中で用紙の搬送が止まって搬送されなくなる。また、傾斜角度が大きすぎると正常に飛翔されなくなる。これらの点を考慮して安定した原稿搬送を行うためには、ガイド部のリブ２１３の稜線及び／又はリブ２１５の傾斜角度は、２０°〜３０°であることが好ましく、より好ましくは略２０°であることが好ましい。
【００５８】
なお、リブ２１３、２１５のハの字の広がり度合いは、大きくするほど、原稿Ｇ２に発生するたわみを、後端側に向けてより有効に減少させることが出来、それに伴い搬送方向に対するコシ（弾性）も減少させることが出来る。また、原稿幅が小さいほど原稿Ｇ２に形成されるたわみによって発生する原稿のコシが強くなるため、それに伴い搬送不良などを引き起こし易くなる。
【００５９】
したがって、本実施形態のように、リブ２１３のハの字の広がり度合いをリブ２１５より大きくすると、原稿Ｇ２２より原稿幅が狭い原稿Ｇ２１に形成されるたわみにおいても、後端側に向けてより有効に減少させ、原稿Ｇ２１の搬送不良などの問題を有効に回避することが可能となる。
【００６０】
また、上記リブの広がり度合いは、狭い用紙幅に対応するリブほど大きくする方が、上記搬送不良を回避する点ではより有効である。
【００６１】
なお、積載面２２１上には、下端がＡ２版の幅寸法以下となる一対の積載用リブ２２３が立設されているため、ガイド部２１０から積載面２２１上に搬送された原稿Ｇ２は、たわみが形成された状態で既に積置された原稿Ｇ１の上に新たに積置される。したがって、積置された原稿Ｇ１が幅方向にずれることが回避され、安定した状態で前記積載面上に積置することが可能となる。
【００６２】
また、積載用リブ２２３の高さは、上流側ほど大きくしたものであるため、ガイド部２１０から積載面２２１上に搬送された原稿Ｇ２は、最初にリブ高の高い部分に接触することになり、リブ２２３以外の部分に接触することが回避される。したがって、原稿Ｇ２の位置ずれが防止され、より確実な状態に積置することが可能となる。
【００６３】
なお、リブ２１３、及び、リブ２１５の対は、必ずしも幅方向対称の状態でガイド面２１１上に形成される必要はない。すなわち、原稿Ｇ２がセンター基準となる状態で搬送されるように形成する必要はない。例えば、図５に記載の構成が考えられ、この構成は下記の通りである。リブ２１３の一方のリブ２１３ａが、ガイド面２１１の幅方向端部に近い位置に搬送方向Ｓと略平行となる状態で形成される。他方のリブ２１３は、基準となるリブ２１３ａとの離間距離がその下端でＡ２版の幅長より狭くなるように形成されている。また、リブ２１５は、基準となるリブ２１３ａとの離間距離が、その下端でＡ１版の幅長より狭くなるように形成されている。この構成では、原稿Ｇ１１、Ｇ１２は、基準となるリブ２１３ａが形成されている側を基準としてガイド面２１１上を搬送する。
【００６４】
しかしながら、リブ２１３の対、及び、リブ２１５の対を、ガイド面２１１上に幅方向対称になる状態で設ける方が、原稿Ｇ２に形成されるたわみの形状は略左右対称になり、より安定した直進性を得た状態で原稿Ｇ２を搬送する上では有効である。
【００６５】
その他実施形態
（１）  ロール紙Ｒ１、Ｒ２、及びカット紙Ｋ１の幅長は特にＡ２版の幅長、及び、Ａ１版の幅長に特に限定されることはない。例えば、Ｒ１をＡ０版、Ｒ２をＡ１版の幅長にすること等のように、任意の幅長にすることが可能である。原稿Ｇ２１、Ｇ２２においても、ロール紙Ｒ１、Ｒ２、及びカット紙Ｋ１と同様、Ａ１版、Ａ２版に限定されることはなく、任意のサイズを使用することが可能である。
【００６６】
（２）  排紙トレイ部の機構は、原稿Ｇ２を搬送する場合に限定されるものではなく、記録紙を排紙する機構に用いてもよい。
【００６７】
【発明の効果】
本発明の排紙トレイは、互いに同一方向に傾斜する上面を有する用紙積載部と、ガイド部とを備え、前記ガイド部は前記用紙積載部の前記積載面の上流側の上方に所定距離だけ離間して設けられ、前記排紙口から排出される用紙を前記積載面に受け渡すべく上面をガイド面とすると共に、前記ガイド面には、少なくとも下端が前記第一の幅寸法以下となる一対の第一のリブがそれぞれ傾斜方向に亘って立設されているものである。
【００６８】
この排紙トレイによれば、前記ガイド部が、前記用紙積載部の前記積載面の上流側の上方に所定距離だけ離間して設けられているため、既に排紙積載トレイ上に積載されている用紙の後端に突き当たることなく、ガイド面上の用紙を前記用紙積載面上に積置することが可能となる。
【００６９】
また、前記ガイド面には、少なくとも下端が前記第一の幅寸法以下となる一対の第一のリブがそれぞれ傾斜方向に亘って立設されているため、幅方向への位置ずれを起こさず適正な位置で前記用紙積載面上に用紙が搬送される。
【００７０】
したがって、従来のように特別な部品や機構を具備する必要がなく、リブを設けるのみで適正な位置に前記用紙を積載することが可能となる。よって、簡素な機構で、かつ、適正な位置に用紙を積載することが可能となる。
【００７１】
請求項２の発明の排紙トレイには、上記第一のリブの対が幅方向対称に立設されているため、用紙に形成されるたわみの形状が左右対称になり、用紙が移動する際の直進性が増す。したがって、用紙をより適正な位置に積載することが可能となる。
【００７２】
請求項５の発明の排紙トレイには、前記一対の第一のリブの外方に、下流側にむかうほど互いの離間距離が大きく、かつ少なくとも下端が第一の幅寸法と第二の幅寸法の間の寸法だけ離間した一対の第二のリブが立設されているため、幅方向の寸法が大きい用紙においても、幅方向端部がガイド面に直接接触することを回避され、より安定した状態で前記用紙積載面上に用紙を搬送することが可能となる。
【００７３】
請求項８の発明の排紙トレイは、前記用紙積載部の前記積載面に、少なくとも下端が前記第一の幅寸法以下となる一対の積載用リブがそれぞれ傾斜方向に亘って立設されているものである。
【００７４】
この排紙トレイによれば、前記ガイド面から搬送された用紙はたわみ部が形成された状態で積置されるため、積置された用紙が幅方向にずれることが回避され、安定した状態で前記積載面上に積置することが可能となる。
【図面の簡単な説明】
【図１】本発明にかかる画像形成装置の一実施形態の概観図である。
【図２】本発明にかかる画像形成装置の排紙トレイ部の一実施形態を示す概要図である。
【図３】図２のＡＡ断面図である。
【図４】図３のＢＢ断面図である。
【図５】本発明にかかるガイド部材の第二実施形態を示した図である。
【図６】従来の排紙トレイの他の実施形態を示す概要図である。
【図７】従来の排紙トレイの一実施形態を示す概要図である。
【符号の説明】
１    複写機
１００  本体部
１１９  排紙口
２００            排紙トレイ部
２１０            ガイド部
２１１            ガイド面
２１３、２１３ａ  リブ（第一のリブ）
２１５            リブ（第二のリブ）
２２０            用紙積載部
２２１            積載面
２２３            積載用リブ
【図１】
2004331369.tif 000003
【図２】
2004331369.tif 000004
【図３】
2004331369.tif 000005
【図４】
2004331369.tif 000006
【図５】
2004331369.tif 000007
【図６】
2004331369.tif 000008
【図７】
2004331369.tif 000009